(57)【特許請求の範囲】
【請求項１】
排気されていないチャンバ内で回転軸回りに回転するよう適合された遠心ロータであって、該ロータは所定の複数Ｍ個のキャビティを有し、各キャビティは口を有し、各口は回転軸から所定の最大距離離れて存する点を有し、該最大距離の点は回転軸を中心とする円形軌跡を規定し、
各キャビティはその中に容器を収容するべく適合され、各容器はその中に所定の量の液体を保有すべく寸法つけられており、各キャビティはそれを貫通して延在する軸線を有し、各キャビティの軸線は回転軸に関し所定の角度傾斜されており、各キャビティの所定の傾斜角はロータの回転中容器が破損したときその１つの容器から解放される液体の量ＶＲを規定し、ここで、隣接する２つのキャビティの軸線の間に延在する弧は所定の弧長Ｓを有する遠心ロータにおいて、
ロータ内に配置された所定の数Ｎ個の液体捕獲穴を備え、各液体捕獲穴は筒状部分と球状底部分とを有し、各液体捕獲穴はそれを貫通して延在する軸線を有し、各液体捕獲穴の軸線は回転軸に関し所定の角度傾斜されており、各液体捕獲穴はロータの回転中所定の液体の量ＶＨを捕獲できるように寸法付けられ、かつ、傾斜されており、
各液体捕獲穴は口を有し、各液体捕獲穴の口の少なくともある部分は最大距離の点によって規定された円形軌跡の半径方向外方に存し、
液体捕獲穴の数Ｎと各液体捕獲穴の量ＶＨとは下記の関係を満たし、
Ｎ・ＶＨ≧ｎ・ＶＲ
ここにおいて、ｎはＭより小さいかまたは等しい整数であり、
各液体捕獲穴は回転軸から液体捕獲穴のいずれか１つの軸線まで延在する半径が前記液体捕獲穴の１つに隣接するキャビティ間の弧長Ｓを二分するように２つの隣接するキャビティ間に配置されていることを特徴とする遠心ロータ。
【請求項２】
排気されていないチャンバ内で回転軸回りに回転するよう適合された遠心ロータであって、該ロータは所定の複数Ｍ個のキャビティを有し、
各キャビティは口を有し、各口は回転軸から所定の最大距離離れて存する点を有し、該最大距離の点は回転軸を中心とする円形軌跡を規定し、
各キャビティはその中に容器を収容するべく適合され、各容器はその中に所定の量の液体を保有すべく寸法つけられており、各キャビティはそれを貫通して延在する軸線を有し、各キャビティの軸線は回転軸に関し所定の角度傾斜されており、各キャビティの所定の傾斜角はロータの回転中容器が破損したときその１つの容器から解放される液体の量ＶＲを規定し、ここで、隣接する２つのキャビティの軸線の間に延在する弧は所定の弧長Ｓを有し、
ロータは半径方向内方に延在するリップを備えた環状のリムを有し、該リムとリップとは液体閉じ込め環を形成すべく協働し、該液体閉じ込め環はロータの回転中所定の液体の量ＶＣを保有すべく寸法付けられている遠心ロータにおいて、
ロータ内に配置された所定の数Ｎ個の液体捕獲穴を備え、各液体捕獲穴は筒状部分と球状底部分とを有し、各液体捕獲穴はそれを貫通して延在する軸線を有し、各液体捕獲穴の軸線は回転軸に関し所定の角度傾斜されており、各液体捕獲穴はロータの回転中所定の液体の量ＶＨを捕獲できるように寸法付けられ、かつ、傾斜されており、
各液体捕獲穴は口を有し、各液体捕獲穴の口の少なくともある部分は最大距離の点によって規定された円形軌跡の半径方向外方に存し、
液体捕獲穴の数Ｎと各液体捕獲穴の量ＶＨとは下記の関係を満たし、
Ｎ・ＶＨ＋ＶＣ≧ｎ・ＶＲ
ここにおいて、ｎはＭより小さいかまたは等しい整数であり、
各液体捕獲穴は回転軸から液体捕獲穴のいずれか１つの軸線まで延在する半径が前記液体捕獲穴の１つに隣接するキャビティ間の弧長Ｓを二分するように２つの隣接するキャビティ間に配置されていることを特徴とする遠心ロータ。
【請求項３】
各液体捕獲穴の少なくともある部分が閉じ込め環に連通していることを特徴とする請求項２の遠心ロータ。
【発明の詳細な説明】
【０００１】
【発明の属する技術分野】
本発明は、複数の液体捕獲穴を有し、該穴が容器の破損の際発散されるであろう所定の量の液体を捕獲するよう配列されている遠心ロータに関する。
【０００３】
【従来の技術】
遠心ロータは、液体サンプルを遠心力場に曝すために遠心機器内で用いられる比較的重量の嵩む部材である。ロータには複数のキャビティが設けられている。キャビティはロータの回転軸に関して所定の角度傾けられるか、キャビティの軸線が回転軸に平行に存するように方向付けられている。通常の例では、液体サンプルを保有する容器が各キャビティ内に収容される。
【０００４】
容器は作動中破損の危険性に曝されている。この場合、傾きの度合いおよびキャビティの形状に依存して、その容器に保有されている液体サンプルの幾らかまたは全てが、キャビティから逃げ出すかもしれない。もしも非拘束のまま放置されると、自由となった液体はロータとその関連する蓋の間のシールを越えて、ロータを出、遠心機器のチャンバ内に入る可能性がある。もしも、液体が生物学的に有害な物質であると、ロータからのその漏出は特に不幸な事件となる。
【０００５】
従来のロータのいくつかは、ロータ本体の周辺周りに環状のリップを配置することによって、ロータの内部から自由になった液体が漏出するのを未然に防ぐことを試みている。リップはロータの周縁（リム）から半径方向内方に延び、リムとそれに隣接するロータ本体の上面と協働し、環状の閉じ込め環を形成している。この閉じ込め環は１つ以上のサンプル用容器が破損したときに、チューブキャビティから逃げ出すかもしれない予期された量の液体を保持するに充分な閉じ込め能力を発揮すべく寸法決めされている。閉じ込めリップによって形成された閉じ込め環を備えたロータの例は、１９７９年４月付けのへリアスクリストカタログ（Hereaus Christ catalog) のHC-E 11/1 に示されたロータである。米国特許第４，３７２，４８３号（Wright) もまた、閉じ込めリップを備えたロータを示している。米国特許第５，０７１，４０２号（Weyant) は、閉じ込めリップおよびロータキャビティを取り囲む関係で配置された溝配列を有し、ボアがその容量を拡大すべく溝に連通するよう配置されているロータを示している。
【０００６】
通常の例では、所定の量的能力を有する適切に寸法付けられた閉じ込めリップを設けることは、自由になった液体に対応するには充分である。しかしながら、ロータが排気されていない遠心機器のチャンバ（すなわち、あるレベルの空気圧を保持しているチャンバ）内で作動されるべきときには、逃げ出した液体の閉じ込めに関して特別な問題が存在する。かかるロータに対しては、充分に寸法付けられた閉じ込め環を設ける直接的な手段は、ロータの風損に関する相殺を考慮すると利用できないかもしれない。
【０００７】
風損は、それが空気中で回転される、さもなくば移動されるとき、本体に現れる抵抗ないしは摩擦である。排気されていないチャンバを有する遠心機器の場合には、ロータの風損はロータの直径および／または高さのような物理的寸法やロータが配置されているチャンバに関するロータの寸法に依存する。ロータのチャンバ壁に近接するロータ部位はさらに空気摩擦を増大する空気の乱流を生じさせる。風損はロータの速度および付随的に所与のモータトルクに対するその性能を低下させる。従って、ロータ内の１つ以上の容器が破損したときに逃げ出すことが予測される液体の全てを捕獲するに充分な量的能力を備えた閉じ込め環を単に設けることは、常には、可能ではない。そうすることが、ロータの速度および性能を許容できない程度にまで低下するに充分な風損を生じさせる物理的寸法（例えば、直径および／または高さ）を有するロータへと導くかもしれないからである。
【０００８】
【発明が解決しようとする課題】
上記に鑑み、ロータ内の１つ以上の容器が破損したときに自由となった液体の全てを捕獲し保有するに充分な液体閉じ込め能力を備え、しかもそれをロータの性能を維持し、かつ、風損を低減する方法で行うようにした、排気されないチャンバ内で使用される遠心ロータを提供することは有利であると信じられる。
【０００９】
【課題を解決するための手段】
本発明の遠心ロータの一形態は、排気されていないチャンバ内で回転軸回りに回転するよう適合された遠心ロータであって、該ロータは所定の複数  Ｍ個のキャビティを有し、各キャビティは口を有し、各口は回転軸から所定の最大距離離れて存する点を有し、該最大距離の点は回転軸を中心とする円形軌跡を規定し、各キャビティはその中に容器を収容するべく適合され、各容器はその中に所定の量の液体を保有すべく寸法つけられており、各キャビティはそれを貫通して延在する軸線を有し、各キャビティの軸線は回転軸に関し所定の角度傾斜されており、各キャビティの所定の傾斜角はロータの回転中容器が破損したときその１つの容器から解放される液体の量ＶＲを規定し、ここで、隣接する２つのキャビティの軸線の間に延在する弧は所定の弧長Ｓを有する遠心ロータにおいて、ロータ内に配置された所定の数Ｎ個の液体捕獲穴を備え、各液体捕獲穴は筒状部分と球状底部分とを有し、各液体捕獲穴はそれを貫通して延在する軸線を有し、各液体捕獲穴の軸線は回転軸に関し所定の角度傾斜されており、各液体捕獲穴はロータの回転中所定の液体の量ＶＨを捕獲できるように寸法付けられ、かつ、傾斜されており、各液体捕獲穴は口を有し、各液体捕獲穴の口の少なくともある部分は最大距離の点によって規定された円形軌跡の半径方向外方に存し、液体捕獲穴の数Ｎと各液体捕獲穴の量ＶＨとは下記の関係を満たし、
【００１０】
【数３】
Ｎ・ＶＨ≧ｎ・ＶＲ
ここにおいて、ｎはＭより小さいかまたは等しい整数であり、各液体捕獲穴は回転軸から液体捕獲穴のいずれか１つの軸線まで延在する半径が前記液体捕獲穴の１つに隣接するキャビティ間の弧長Ｓを二分するように２つの隣接するキャビティ間に配置されていることを特徴とする。
【００１１】
本発明の遠心ロータの他の形態は、排気されていないチャンバ内で回転軸回りに回転するよう適合された遠心ロータであって、該ロータは所定の複数  Ｍ個のキャビティを有し、各キャビティは口を有し、各口は回転軸から所定の最大距離離れて存する点を有し、該最大距離の点は円形軌跡を規定し、各キャビティはその中に容器を収容するべく適合され、各容器はその中に所定の量の液体を保有すべく寸法つけられており、各キャビティはそれを貫通して延在する軸線を有し、各キャビティの軸線は回転軸に関し所定の角度傾斜されており、各キャビティの所定の傾斜角はロータの回転中容器が破損したときその１つの容器から解放される液体の量ＶＲを規定し、ここで、隣接する２つのキャビティの軸線の間に延在する弧は所定の弧長Ｓを有し、ロータは半径方向内方に延在するリップを備えた環状のリムを有し、該リムとリップとは液体閉じ込め環を形成すべく協働し、該液体閉じ込め環はロータの回転中所定の液体の量ＶＣを保有すべく寸法付けられている遠心ロータにおいて、ロータ内に配置された所定の数Ｎ個の液体捕獲穴を備え、各液体捕獲穴は筒状部分と球状底部分とを有し、各液体捕獲穴はそれを貫通して延在する軸線を有し、各液体捕獲穴の軸線は回転軸に関し所定の角度傾斜されており、各液体捕獲穴はロータの回転中所定の液体の量ＶＨを捕獲できるように寸法付けられ、かつ、傾斜されており、各液体捕獲穴は口を有し、各液体捕獲穴の口の少なくともある部分は最大距離の点によって規定された円形軌跡の半径方向外方に存し、液体捕獲穴の数Ｎと各液体捕獲穴の量ＶＨとは下記の関係を満たし、
【００１２】
【数４】
Ｎ・ＶＨ＋ＶＣ≧ｎ・ＶＲ
ここにおいて、ｎはＭより小さいかまたは等しい整数であり、各液体捕獲穴は回転軸から液体捕獲穴のいずれか１つの軸線まで延在する半径が前記液体捕獲穴の１つに隣接するキャビティ間の弧長Ｓを二分するように２つの隣接するキャビティ間に配置されていることを特徴とする。
【００１３】
好ましい実施の形態は、各液体捕獲穴の少なくともある部分が閉じ込め環に連通していることを特徴とする。
【００１４】
本発明は、排気されていないチャンバ内で回転軸回りに回転するよう適合された遠心ロータに向けられている。ロータは所定の複数  Ｍ個のキャビティを有し、各キャビティは口を有す。各キャビティの口の一点は回転軸から所定の最大距離離れて存する。該最大距離の点は円形軌跡を規定する。各キャビティはその中に容器を収容すべく適合され、各容器はその中に所定の量の液体を保有すべく寸法つけられている。軸線が各キャビティを貫通して延在し、キャビティの軸線は回転軸に関し所定の角度傾斜されている。各キャビティの所定の傾斜角はロータの回転中容器が破損したときその１つの容器から解放される液体の量ＶＲを規定する。所定の弧長Ｓを有する弧が、隣接する２つのキャビティの軸線の間に延在する。ロータは半径方向内方に延在するリップを備えた環状のリムを付加的に含んでもよく、リムとリップとは液体閉じ込め環を形成すべく協働する。もし、設けられるのであれば、液体閉じ込め環はロータの回転中所定の液体の量ＶＣを保有すべく寸法付けられる。
【００１５】
本発明によるロータは、ロータ内に配置された所定の数Ｎ個の液体捕獲穴を含み、各液体捕獲穴はそれを貫通して延在する軸線を有している。各液体捕獲穴の軸線は回転軸に関し所定の角度傾斜されている。好ましい例では、各液体捕獲穴は筒状部分と球状底部分とを備えて形状付けられる。各液体捕獲穴はロータの回転中所定の液体の量ＶＨを捕獲できるように寸法付けられ、かつ、傾斜されている。
【００１６】
液体捕獲穴の数Ｎと各液体捕獲穴の量ＶＨとは下記の関係を満たし、
【００１７】
【数５】
Ｎ・ＶＨ＋ＶＣ≧ｎ・ＶＲ
ここにおいて、ｎはＭより小さいかまたは等しい整数である。もしも、閉じ込め環が設けられないなら、項ＶＣはゼロとなる。
【００１８】
各液体捕獲穴は回転軸から液体捕獲穴のいずれか１つの軸線まで延在する半径が前記液体捕獲穴の１つに隣接するキャビティ間の弧長Ｓを二分するように２つの隣接するキャビティ間に配置されている。各液体捕獲穴は口を有し、各液体捕獲穴の口の少なくともある部分は最大距離の点によって規定された円形軌跡の半径方向外方に存している。
【００１９】
【発明の実施の形態】
以下の詳細な説明を通して、図面の全図において、同一機能部位には同一番号が用いられている。
【００２０】
図１は、本発明による概ね参照符号１０で示される遠心ロータの対称な半分を平面図で示す。遠心ロータは１０は遠心機器の（不図示の）排気されていないチャンバ内で、回転軸A の回りに回転するよう適合されている。ロータ１０は本体部分１０Ｂを有する比較的重量の嵩む部材であり、上面１０Ｓを備えている。ロータ１０はアルミニウム合金のような適切な材料で、典型的には鍛造および機械加工によって製作される。ロータ本体１０Ｂの中心部分は、ロータ１０を駆動スピンドル（不図示）の上端に固着するための中心的に軸方向に貫通して延在するボア１０Ｌを有している。もし望むなら、ロータ本体１０Ｂの底部は質量および慣性を最小にする目的で、アンダーカット１０U されてもよい。
【００２１】
ロータ１０の本体１０Ｂは、所定の数のサンプル容器保持用のキャビティ１２を有している。ロータが曝されるであろう応力レベル、ロータが使用されるチャンバの寸法、利用できるモータのトルク、および、遠心力場の要求のような条件に依存して、都合の良い数Ｍのキャビティが設けられ得る。各キャビティ１２はロータ１０の本体１０Ｂ内に穿孔によって適切に形成される。キャビティ１２の各々は、キャビティ１２がロータ本体１０Ｂの上面１０Ｓと交差する位置に口１２Ｍを有している。口１２Ｍの各々上の点１２Ｐは回転軸Ａから所定の最大半径距離に存する。点１２Ｐの集合は回転軸Ａを中心とする円形の軌跡１２Ｌを規定する。各キャビティ１２はそれを貫通して延在する軸線１２Ａを有している。キャビティの軸線１２Ａは、ロータ１０の回転軸Ａに関して所定の角度１４傾斜されている。隣接する２つのキャビティ１２の軸線１２Ａが上面１２Ｓと交差する位置の点が所定の弧長Ｓを有する弧１５によって接続され、回転軸Ａから弧１５までの半径距離が参照符号ＲＡで示されている。
【００２２】
各キャビティ１２はその中に容器（不図示）を収容するように適合されている。各容器はその中に所定の量の液体を保有すべく寸法付けられている。もし、機器の作動中に容器が破損すると、容器中に保有されていた液体がキャビティ１２内に解放されよう。図２から解るように、キャビティ１２の軸線１２Ａが回転軸Ａに関して傾斜しているので、キャビティ１２の幾何学的形状が、少なくとも三日月状の量１６（水平な２点鎖線で示されている）に等しい液体量がキャビティ１２から逃げ出すのを防止するのに役立っている。しかしながら、容器の容量は三日月状の量１６を越える傾向にあるので、液体のある増加量ＶＲは破損した容器から解放され遠心力によってキャビティ１２から出るように強いられる。容器の破損の際に自由となるこの液体増加量ＶＲは図２にキャビティ１２内で垂直な２点鎖線で示されている。
【００２３】
このような液体の解放に対する従来の解決法は、ロータ１０にロータ本体１０Ｂの周縁周りに配置された直立する環状リム２０を設けることである。リム２０は半径方向内方に延びるリップ２２を有している。リム２０およびリップ２２は、ロータ１０の上面１０Ｓのキャビティ１２より半径方向外方の部分１０Ｓ′と協働し、液体閉じ込め環２４を形成する。液体閉じ込め環２４はその中に所定の液体の閉じ込め量ＶＣを保有するように寸法付けられている。閉じ込め量ＶＣは、水平および垂直の２点鎖線の組合せによって示されている。閉じ込め環２４は、それによって捕獲された液体が蓋３０の下面に配置されているシール２８に挑戦することを防止する。蓋３０はロータ１０に受け入れられ、当業者によって理解されるように、ロータの作動中はそれに固定されている。
【００２４】
前に述べたように、排気されていない機器のチャンバ内で用いられるロータを設計する際には、風損の影響が、寸法において、それ故、閉じ込め環２４の閉じ込め量ＶＣにおいて、実際的な制限を課している。ここに用いられているように、「排気されていない」という用語は、この用語はまた、チャンバ圧力が１ミリバール以上のオーダーにある機器も包含するよう解釈されるべきであるけれども、大気圧の空気を保有している遠心機器のチャンバを意味する。かくて、排気されていない機器のチャンバ内で作動するロータに対しては、対応して寸法付けられた閉じ込め環以外に、自由となった液体を捕獲する手段が設けられねばならない。
【００２５】
本発明によれば、ロータ１０には所定の数Ｎの液体捕獲穴３４が設けられている。好ましい例では、液体捕獲穴３４の数Ｎは、必ずしもというわけではないが、容器保持用のキャビティ１２の数Ｍに等しい。図３から最もよく解るように、各液体捕獲穴３４はそれを貫通して延在する軸線３４Ａを有している。各液体捕獲穴３４の軸線３４Ａは、回転軸Ａに関して所定の角度３６傾斜されている。各液体捕獲穴３４は、好ましい例では、筒状部分３４Ｃと球状底部分３４Ｓとを備えて形状付けられている。このような幾何学的形状は、通常の穴明け設備を用いて、液体捕獲穴３４を形成することを可能にしている。液体捕獲穴３４は他の幾何学的形状を呈することもでき、かつ、他の材料除去技術を用いても製作され得ることが理解されるべきである。かかる他の技術としては、既に適所に液体捕獲穴３４を備えたロータをフライス削り、レーザ除去または鋳造することを含む。
【００２６】
液体捕獲穴３４の各々は、液体捕獲穴３４がロータ１０の上面１０Ｓと交差する位置に形成される口３４Ｍを有している。この発明によれば、図１から最もよく解るように、各液体捕獲穴３４の口３４Ｍの少なくともある部分は、最大距離の点１２Ｐによって規定される円形軌跡１２Ｌの半径方向外方に存する。各液体捕獲穴３４は、好ましくは、しかし必然ではなく、回転軸Ａから軸線３４Ａまで延在する半径ＲＨが液体捕獲穴３４に隣接するキャビティ１２の軸線１２Ａ間の長さＳの弧１５を二分するように、隣接するキャビティ１２の中間に配置されている。液体捕獲穴３４に対する一つの代替構造は、隣接するキャビティ１２の中間のロータ領域に設けられた一対の近接離間された開口を利用してもよく、これはかかる開口間に画成されるウエブを通って半径ＲＨが延在している。もしも、リップ２２が設けられるなら、液体捕獲穴３４の口の少なくともある部分が
そのリップによって形成される閉じ込め環に連通すべきである。
【００２７】
本発明によれば、各液体捕獲穴３４は、ロータの回転中に、液体捕獲穴３４が所定の液体の量ＶＨをその中に捕獲できるように寸法付けられ、かつ、傾斜されている。その量ＶＨは図３において水平な２点鎖線で示されている。
【００２８】
本発明によれば、液体捕獲穴３４の数Ｎおよび各液体捕獲穴３４によって捕獲され得る液体の量ＶＨは、式（１）の関係を満たす。
【００２９】
【数６】
Ｎ・ＶＨ＋ＶＣ≧ｎ・ＶＲ                        （１）
ここで、ｎはロータに配置されたキャビティの数Ｍよりも小さいかまたは等しい。
【００３０】
本発明よる液体捕獲穴３４を有するロータ１０によれば、容器の破損の結果として自由となった液体は、シール２８に挑戦することなくロータ１０内に全体的に包含される。この結果、閉じ込めリップ２２は解放された液体を保有するのに役立つ唯一の構造的特徴として頼りにされる必要がない。事実、もしも、ロータが曝される応力レベルが一定であるならば、（形状はどうであれ）適切に寸法付けられた液体捕獲穴３４が適切な数Ｎだけ、容器のある数  ｎが破損したときに解放されるであろう少なくとも液体の量を保有するに充分にロータ本体１０Ｂに形成され得、それから、リップ２２およびそれによってもたらされる閉じ込め容量ＶＣは最小化あるいは排除されるかもしれない。このような場合（リップ２２を排除した場合）、液体捕獲穴３４の数Ｎおよび各液体捕獲穴３４によって捕獲される液体の量ＶＨは式（１A)の関係を満たす。
【００３１】
【数７】
Ｎ・ＶＨ≧ｎ・ＶＲ                              （１Ａ）
ここで、ｎはロータに配置されたキャビティの数Ｍよりも小さいかまたは等しい。
【００３２】
リップ２２を最小化または排除しつつ液体捕獲穴３４を用いることの結果として、ロータ１０の直径および／または高さの寸法が風損の影響を低減すべく選定され得る。さらに、液体捕獲穴３４を形成するためにロータから材料を取り除くということはまた、ロータの質量、それ故に、ロータの慣性を低減するのに役立つ。慣性および質量の低減はロータの加速および／または減速を改善する。低減された質量はロータの取り扱いを容易とする。
【００３３】
【実施例】
本発明は、次の詳細な実施例からさらに充分かつ明瞭に理解される。
【００３４】
本発明のロータはアルミニウム合金から構成され、６つのキャビティ（Ｍ＝６）をもたらすべく機械加工された。ロータは排気されていないチャンバ内で、１２、０００ｒｐｍのオーダーの回転速度で作動されるべく設計された。各キャビティは２０度（角１４＝２０゜）傾斜され、かつ、５００ｍｌの容器（ＶＲ＋量１６）を受け入れるべく寸法付けられた。キャビティに収容されている容器が破損したとき、各キャビティから解放されるであろう液体の増加量（自由になる量ＶＲ）は３５０ｍｌであった。ロータは２１５ｍｌの閉じ込め量（量ＶＣ）を有する閉じ込め環２４を形成するリップ２２を有していた。
【００３５】
ロータは６つの液体捕獲穴３４を有していた（Ｎ＝６）。各液体捕獲穴３４は２０度（角３６＝２０゜）傾斜され、かつ、各液体捕獲穴３４は２２．５ｍｌ（量ＶＨ）を保有すべく寸法付けられた。かくて、ロータは整数ｎが１に等しく（ｎ＝１）選定されて式（１）を満足した。液体捕獲穴３４を設けることが、ロータに、６．２３インチ（１５．８２ｃｍ）の最大半径寸法（図２の参照符号５０を見よ）と９．１インチ（２３．１１ｃｍ）の高さ寸法（図２の参照符号５２を見よ）を呈することを許した。
【図面の簡単な説明】
【図１】本発明による遠心ロータの対称な半分を示す平面図であり、ロータはそれに配置された所定の数の液体捕獲穴を有している。
【図２】図１の断面線２−２に沿う断面図であり、ロータ本体内の傾斜されたロータキャビティの構造的配列と、ロータ回転中にキャビティ内に配置された容器の破損のときロータキャビティによってもたらされる液体捕獲能力とを示す。
【図３】図１の断面線３−３に沿う断面図であり、本発明によりロータ本体に配置された傾斜液体捕獲穴によってもたらされる構造的配列と液体捕獲能力とを示す。
【符号の説明】
１０  遠心ロータ
１２  キャビティ
２０  リム
２２  リップ
２４  閉じ込め環
３４  液体捕獲穴
３４Ｍ  口
Ａ  回転軸
Ｍ  キャビティの数
Ｎ  液体捕獲穴の数
Ｓ  隣接するキャビティ間の弧長
【図１】
0003779356.tif 000002
【図２】
0003779356.tif 000003
【図３】
0003779356.tif 000004